(57)【要約】【課題】煙検知ユニットによる煙の侵入面積を広くして煙の侵入効率を高くすることができ、火災報知器本体のベース部からの高さを低く構成することができる火災報知器を提供すること。【解決手段】本発明の火災報知器１は、カバー表面３Ａおよびこのカバー表面３Ａから突出するカバー蓋部５と、カバー蓋部５とカバー表面３Ａとの間に設けられた、煙を導入するための開口部８とを有するカバー３と、カバー３が着脱自在に取付けられるベース部４と、開口部８を形成するカバー表面３Ａの縁部に設けられ、カバー３のカバー表面３Ａからカバー３の内部方向に向けて傾斜するテーパー面８ｂを有する第１のテーパー部と；開口部８を介して側面部６Ａが露出するようにカバー蓋部５の内側のカバー３の内部に配設されたユニットで、このユニットの少なくとも一部がカバー表面３Ａより突出するように配設された、煙を検知する煙検知ユニット６とを有している。【選択図】図３
2011070389.tif 000002
【特許請求の範囲】
【請求項１】
カバー表面およびこのカバー表面から突出するカバー蓋部と、前記カバー蓋部と前記カバー表面との間に設けられ、煙を導入するための開口部とを有するカバーと；
前記カバーが着脱自在に取付けられるベース部と；
前記開口部を形成する前記カバー表面の縁部に設けられ、前記カバーの前記カバー表面から前記カバーの内部方向に向けて傾斜するテーパー面を有する第１のテーパー部と；
前記開口部を介して側面部が露出するように前記カバー蓋部の内側の前記カバーの内部に配設されたユニットあって、このユニットの少なくとも一部が前記カバー表面より突出するように配設された、煙を検知する煙検知ユニットと；
を具備したことを特徴とする火災報知器、
【請求項２】
前記開口部を形成する前記カバー蓋部の縁部に、前記カバー蓋部の前記縁部から前記カバーの内部方向に向けて傾斜するテーパー面を有する第２のテーパー部を設けたことを特徴とする請求項１に記載の火災報知器。
【請求項３】
前記煙検知ユニットの高さ方向の前記側面部の少なくとも半分以上が、前記カバーの前記カバー表面よりも前記カバーの内側に配設されていることを特徴とする請求項１または請求項２に記載の火災報知器。
【発明の詳細な説明】
【技術分野】
【０００１】
本発明は、煙を検知する煙検知ユニットを有する火災報知器に関する。
【背景技術】
【０００２】
従来より、消防法施行規則第２１条や都の火災予防条例４１条に基づいて、新築も改増築の建築対象物には自動火災報知設備の設置が義務づけられており、多くの自動火災報知器が開発され、商品化されている。
【０００３】
このような自動火災報知器としては、例えば、特許文献１及び特許文献２に記載されているように、煙を検知する煙検知ユニットを有し、この煙検知ユニットの検知結果に基づいて火災などの異常時を判断して警報を発する火災報知器がある。
【０００４】
特許文献１に記載の火災報知器では、煙検知ユニットなどの検知部が警報器本体上に設けられるとともに、前記警報器本体の取り付け面側に、引っ張ることにより異常時に発した警報を一端停止させ、または通常時に動作チェックを行うための引き紐を保持する突起部を設けて構成することで、外観上の見栄えを良好にしている。
【０００５】
特許文献２に記載の火災報知器は、ベースと、このベースに着脱自在に取り付けられ、煙を感知して火災を検出する煙センサを設けた警報器本体とを備え、フラッシュライトやブザーなどの増設機器を収納する凸状部を前記警報器本体の外周部に、該凸状部のベースからの高さが警報器本体の側面の高さ以下となるように配設して、煙を前記煙センサに導くように構成されている。
【０００６】
また、特許文献２に記載の火災報知器は、警報器本体を構成する保護カバーに、煙を導入する煙導入口を設けるとともに、前記凸状部の外表面形状を気体の流線に沿った形状とし、滑らかに前記保護カバーに連接するように構成して、より円滑に煙を前記煙導入口を介して煙センサに導くようにしている。
【先行技術文献】
【特許文献】
【０００７】
【特許文献１】特開２００３−９９８７１号公報
【特許文献２】特開２００７−２５７１０７号公報
【発明の概要】
【発明が解決しようとする課題】
【０００８】
しかしながら、特許文献１に記載の火災報知器では、煙を効果的に煙検知ユニットに導くために、この煙検知ユニットを警報器本体上に設けて、該煙検知ユニットによる煙の侵入面積を大きくするように構成したので、前記煙検知ユニットを警報器本体上に設けた分、火災報知器の高さが高くなってしまうといった問題点がある。
【０００９】
また、特許文献２に記載の火災報知器は、前記煙センサの一部が、前記煙導入口を形成する保護カバー内に埋め込まれる構成ではあるが、前記凸状部は高さがある上に、この凸状部上に前記保護カバーを設け、さらに煙センサを設けている構成であるため、煙導入口の面積を確保するために前記保護カバーを含む火災報知器本体の高さを低くすることができないといった問題点がある。
【００１０】
そこで、本発明は上述した事情に鑑みてなされたもので、煙検知ユニットによる煙の侵入面積を広くして煙の侵入効率を高くすることができ、火災報知器本体のベース部からの高さを低く構成することができる火災報知器を提供することも目的とする。
【課題を解決するための手段】
【００１１】
本発明の請求項１に係る火災報知器は、カバー表面およびこのカバー表面から突出するカバー蓋部と、前記カバー蓋部と前記カバー表面との間に設けられ、煙を導入するための開口部とを有するカバーと；前記カバーが着脱自在に取付けられるベース部と；前記開口部を形成する前記カバー表面の縁部に設けられ、前記カバーの前記カバー表面から前記カバーの内部方向に向けて傾斜するテーパー面を有する第１のテーパー部と；前記開口部を介して側面部が露出するように前記カバー蓋部の内側の前記カバーの内部に配設されたユニットあって、このユニットの少なくとも一部が前記カバー表面より突出するように配設された、煙を検知する煙検知ユニットと；を具備している。
【００１２】
本発明の請求項２に係る火災報知器は、請求項１に記載の火災報知器において、前記開口部を形成する前記カバー蓋部の縁部に、前記カバー蓋部の前記縁部から前記カバーの内部方向に向けて傾斜するテーパー面を有する第２のテーパー部を設けたことを特徴とする。
【００１３】
本発明の請求項３に係る火災報知器は、請求項１または請求項２に記載の火災報知器において、前記煙検知ユニットの高さ方向の前記側面部の少なくとも半分以上が、前記カバーの前記カバー表面よりも前記カバーの内側に配設されていることを特徴とする。
【発明の効果】
【００１４】
請求項１の発明による火災報知器によれば、煙検知ユニットによる煙の侵入面積を広くして煙の侵入効率を高くすることができ、火災報知器本体の高さを低く構成することができる。
【００１５】
請求項２の発明による火災報知器によれば、請求項１と同様の作用・効果が得られる他に、前記開口部を介して前記煙検知ユニットに流れる煙の侵入効率をさらに高めることができる。
【００１６】
請求項３の発明による火災報知器によれば、請求項１及び請求項２と同様の作用・効果が得られる他に、さらに、火災報知器本体のベース部からの高さを低くすることができ、薄型の火災報知器を実現できる。
【図面の簡単な説明】
【００１７】
【図１】本発明の火災報知器の一実施例に係り、該火災報知器の外観構成を示す斜視図。
【図２】図１の火災報知器の上面図。
【図３】図２のＡ−Ａ線断面図。
【図４】図２のＢ−Ｂ線断面図で、開口部近傍の構成を拡大した図。
【発明を実施するための最良の形態】
【００１８】
以下、図面を参照して本発明の実施例について説明する。  
図１から図４は、本発明の火災報知器の一実施の形態に係り、図１は、火災報知器の外観構成を示す斜視図、図２は、図１の火災報知器の上面図、図３は、図２のＡ−Ａ線断面図、図４は、図２のＢ−Ｂ線断面図で、開口部近傍の構成を拡大した図である。
【００１９】
図１及び図２に示すように、本実施例の火災報知器１は、火災報知器本体を構成するケース本体２と、このケース本体２内に設けられた煙検知ユニット６とを有して構成される。
【００２０】
ケース本体２は、カバー３と、このカバー３が着脱自在に取付けられるベース部４とを有して構成される。なお、ベース部４は、天井等に取り付けられる取り付け面を有し、火災報知器本体の高さとは、ケース本体２のベース部４の取り付け面からの高さを示している。
【００２１】
カバー３は、カバー表面３Ａより高さ方向に突出するカバー蓋部５と、このカバー蓋部５とカバー表面３Ａとの間に設けられた、煙を導入するための開口部８とを有して構成される。
【００２２】
カバー蓋部５は、図２に示すように、火災報知器１を平面視したときに円形を有し、前記カバー３の延設部３ａを介して、該カバー３と一体的に構成される。  
なお、この延設部３ａは、カバー蓋部５の外周側の所定位置に３つ設けられているが、この数に限定されるものではない。但し、前記開口部８の煙を導入するための面積を拡大するためには、少なくとも３以下の数により延設部３ａを構成し、或いは各延設部３ａの幅を極力狭くするように構成することが望ましい。
【００２３】
また、カバー３上には、押しボタン７と、報知用開口溝３ｂとが設けられている。この押しボタン７は、火災報知器１の表示及び音声による警報発生時に、押下することで、発した表示及び音声による警報を止めたりするためのボタンである。また、この押しボタン７は、内部に設けられたＬＥＤ１２（図３参照）による光が透過する材質で構成されている。
【００２４】
また、報知用開口溝３ｂは、ケース本体２内に設けられたスピーカー（図示せず）などの音声を効果的に外部へと伝えるための貫通孔である。
【００２５】
煙検知ユニット６は、煙を検知して検知結果をケース本体２内に設けられた図示しない警報制御部に出力する。この煙検知ユニット６により煙の検知がなされて検知結果を受信すると、前記図示しない警報制御部は、異常時であるものと判断して表示及び音声による警報を発するように制御する。
【００２６】
次に、前記煙検知ユニット６を含むケース本体２内部の構成を、図３及び図４を用いて説明する。  
図３に示すように、煙検知ユニット６は、例えば円筒状に構成されたもので、側面部６Ａの外周面全体が煙を導入する導入部分として構成されている。この側面部６Ａの外周面は、煙などの気体が通過可能で、かつ、虫などが侵入しないように防虫金網等で構成されている。
【００２７】
また、煙検知ユニット６の内部には、図４に示すように、発光素子１４と、受光素子１５とが同心円状で、かつ、この同心円の中心と発光素子１４および受光素子１５のそれぞれを結ぶ線分が所定の角度となるように配置されている。
【００２８】
この煙検知ユニット６は、電源がオン状態である場合、発光素子１４から定期的に光が出射されている。そして、煙検知ユニット６は、煙が侵入すると、浸入した煙の粒子によって前記光が拡散されるため、前記受光素子１５に光が到達し受光状態を煙の検知結果として図示しない警報制御部に出力する。
【００２９】
煙検知ユニット６は、ケース本体２内の中底部材９に固定された基板１１上の接続部材１１Ａに配設される。また、前記警報制御部（図示せず）は、前記基板１１上に設けられている。
【００３０】
前記基板１１上の前記押しボタン７に対応する位置には、警報発生時に光を発するＬＥＤ１２と、前記押しボタン７の押下操作を検知するタクトスイッチ１３が設けられている。
【００３１】
また、ケース本体２内の中底部材９には、電池収容部９Ａが設けられており、この電池収容部９Ａには、リチウム電池１０が収容されるようになっている。  
なお、図示はしないが電池収容部９Ａ内の電気接点は、接続線等によって前記基板１１上の警報制御部に電気的に接続されている。そして、リチウム電池１０から電力が前記基板１１上の警報制御部に供給されることで、前記警報制御部は、前記煙検知ユニット６、ＬＥＤ１２、図示しないスピーカーなどの駆動の制御が可能となる。
【００３２】
本実施例の火災報知器１では、図４に示すように、煙検知ユニット６は、前記開口部８を介して側面部６Ａが露出するように前記カバー蓋部５の内側の前記カバー３の内部に配設されており、この煙検知ユニット６の少なくとも一部が前記カバー３のカバー表面３Ａよりも突出するように配設されている。
【００３３】
具体的には、図４に示すように、前記煙検知ユニット６の高さ方向の側面部６Ａの少なくとも半分以上が、前記カバー３のカバー表面３Ａよりも前記カバー３の内側に配設されて、他の部位がカバー表面３Ａよりも突出している。
【００３４】
例えば、基準となる接続部材１１Ａの高さ方向の距離を基準Ｌ０とし、前記煙検知ユニット６の側面部６Ａの基準Ｌ０からの高さ方向の距離をＬ１、前記カバー表面３Ａの前記基準Ｌ０からの高さ方向の距離をＬ２とすると、カバー表面３Ａを介して露出する煙検知ユニット６の側面部６Ａの高さ方向の距離Ｌ３は、Ｌ１−Ｌ２となり、該煙検知ユニット６の側面部６Ａの半分の高さ方向の距離Ｌ１／２よりも小さくなる。  
なお、本実施例では、カバー表面３Ａを介して露出する前記煙検知ユニット６の側面部６Ａの基準Ｌ０からの高さ方向の距離Ｌ３を、該煙検知ユニット６の側面部６Ａの半分の高さ方向の距離Ｌ１／２以下とするように構成することが望ましい。
【００３５】
このように構成により、前記煙検知ユニット６をカバー３内に配置することにより、ケース本体２のベース部４の取り付け面からの高さ方向の距離、すなわち、火災報知器全体のベース部からの高さを従来装置より低くすることができる。
【００３６】
しかしながら、煙検知ユニット６の側面部６Ａを完全にカバー３内に配設すると、ケース本体２の高さ寸法は小さくすることができるが、例えば、ケース本体２を側方から見たときに開口部を視認することができない程カバー蓋部５をカバー表面３Ａと同程度の高さとすると、煙を開口部へ引き込むことが困難になり、煙の検知能力が著しく低下してしまう。従って、煙検知ユニット６の側面部６Ａはできるだけカバー３内に配設するとともに一部はカバー表面３Ａから突出させるのが好ましい。
【００３７】
ここで、カバー表面３Ａを介して露出する煙検知ユニット６の側面部６Ａの基準Ｌ０からの高さ方向の距離Ｌ１を該煙検知ユニット６の側面部６Ａの半分の高さ方向の距離Ｌ１／２以下とするように、該煙検知ユニット６をカバー３内に配設すると、煙の侵入面積が小さくなってしまう。
【００３８】
しかしながら、本実施例では、前記煙検知ユニット６の側面部６Ａにおいて、煙の侵入面積を大きくするように、前記開口部８に工夫が施されている。
【００３９】
具体的には、前記開口部８を形成する前記カバー表面３Ａの縁部に、前記カバー３の前記カバー表面３Ａから前記カバー３の内部方向に向けて傾斜する、第１のテーパー部であるテーパー面８ａが設けられている。
【００４０】
また、前記開口部８を形成する前記カバー蓋部５の縁部に、前記カバー蓋部５の前記縁部から前記カバー３の内部方向に向けて傾斜する、第２のテーパー部であるテーパー面８ｂが設けられている。
【００４１】
このように、前記開口部８を２つのテーパー面８ａ、８ｂを有して構成することにより、煙の侵入経路である開口部８を形成するカバー蓋部５とカバー表面３Ａ間の距離Ｌ４を、テーパー面８ａ、８ｂを備えていない開口部の距離よりも拡大することが可能となる。
【００４２】
このように、開口部８を大きくすることによって、煙検知ユニット６の側面６Ａを半分以上カバー３内に配設しても所望の煙検知能力を確保することができるとともに、ケース本体２の高さ寸法を小さくすることができる。
【００４３】
さらに、前記開口部８は、前記テーパー面８ａが前記煙検知ユニット６の側面部６Ａまで延設されてなく、該側面部６Ａを露出させる隙間を形成している。  
この構成により、煙の侵入経路である開口部８において、前記隙間によって、前記煙検知ユニット６の側面部６Ａ全体を露出させることができるので、該煙検知ユニット６による煙の侵入面積を大きくすることができ、その結果、煙の侵入効率を高くすることができる。
【００４４】
なお、本実施例において、カバー３のカバー表面３Ａの形状は、煙などの気体の流線に沿った形状、すなわち、カバー３の縁部から前記カバー蓋部５側の開口部８にかけて徐々に高くなる傾斜形状に形成されているので、より円滑に煙を前記開口部８へと導くこともできる。
【００４５】
また、テーパー面８ｂは、開口部８を大きくすることができることに加え、カバー蓋部５周縁の煙をカバー蓋部５の表面側よりも開口部８側へ引き込みやすくするという効果が期待できる。
【００４６】
本実施例の火災報知器１の動作を簡単な説明すると、上記構成の火災報知器１は、ベース部４をベースとして天井等に配設される。そして、電源を投入することにより、火災報知器１は、煙の検知による警報動作の待機状態となる。
【００４７】
ここで、煙が発生すると、この煙は屋内の壁面を伝わり、その後、煙の侵入効率の高い火災報知器１の開口部８へと導かれる。  
すると、火災報知器１の煙検知ユニット６は、この煙を検知して検知結果を基板１１上の警報制御部（図示せず）に出力する。  
これにより、この図示しない警報制御部は、前記検知結果が供給されると、異常時であるものと判断して、ＬＥＤ１２及び図示しないスピーカーを駆動させることにより、表示及び音声による警報が発せられる。
【００４８】
したがって、本実施例によれば、上述した構成により、煙検知ユニットによる煙の侵入面積を広くして煙の侵入効率を高くすることができ、火災報知器本体の高さを低く構成することが可能となる。
【００４９】
尚、本実施例では、前記煙検知ユニット６の外径を大きくして煙の浸入面積を大きくする同時に、この煙検知ユニット６を配設するように、カバー３、カバー蓋部５、及び開口部８を構成しても良い。
【００５０】
また、本実施例において、前記開口部８のテーパー面８ａ、８ｂは、カバー３側のテーパー面８ａのみを設けて構成しても良い。この場合、開口部８の煙の侵入効率を高めるために、カバー蓋部５の径を煙検知ユニット６の径と同じにするように構成すれば良い。
【００５１】
本発明は、上述した実施例及び変形例に限定されるものではなく、本発明の要旨を変えない範囲において、種々の変更、改変等が可能である。
【符号の説明】
【００５２】
１…火災報知器、
２…ケース本体（火災報知器本体）、
３…カバー、
３Ａ…カバー表面、
３ａ…延設部、
３ｂ…報知用開口溝、
４…ベース部
５…カバー蓋部、
６…煙検知ユニット、
６Ａ…側面部、
７…押しボタン、
８…開口部、
８ａ…テーパー面、
８ｂ…テーパー面、
９…中底部材、
９Ａ…電池収容部、
１０…リチウム電池、
１１…基板、
１２…ＬＥＤ、
１３…タクトスイッチ、
１４…発光素子、
１５…  受光素子
【図１】
2011070389.tif 000003
【図２】
2011070389.tif 000004
【図３】
2011070389.tif 000005
【図４】
2011070389.tif 000006